(57)【要約】【課題】発光面積が小さく、かつ、光の取り出し効率の高い発光装置の製造方法を提供する。【解決手段】未硬化の樹脂１３’を、発光素子１１および板状部材１４のいずれかまたは両方の面上に表面張力が保たれる量だけ滴下し、未硬化の樹脂１３’の表面張力を保ちながら、未硬化の樹脂１３’を介して発光素子１１と板状部材１４を重ね合わせることにより、傾斜した側面１３０を有する未硬化の樹脂層１３’を形成した後、樹脂層１３を硬化させる。板状部材は、アルカリ金属酸化物含有量が０．２重量％以下の材料から構成されている。【選択図】図３
2013038187.tif 000002
【特許請求の範囲】
【請求項１】
基板と、該基板上に実装された発光素子と、前記発光素子上に配置された、前記発光素子の発する光を透過する樹脂を基材とする樹脂層と、前記樹脂層の上に搭載された板状部材とを有し、
前記板状部材の下面は、前記発光素子の上面より大きく、
前記樹脂層は、前記発光素子の側面の下端と前記板状部材の側面とを結ぶ傾斜面を形成し、
前記板状部材は、アルカリ金属酸化物含有量が０．２重量％以下の材料から構成されることを特徴とする発光装置。
【請求項２】
請求項１に記載の発光装置において、前記樹脂層は、粒子を含有し、前記粒子は、アルカリ金属酸化物含有量が０．２重量％以下の材料から構成されることを特徴とする発光装置。
【請求項３】
基板と、該基板上に実装された発光素子と、前記発光素子上に配置された、前記発光素子の発する光を透過する樹脂を基材とする樹脂層と、前記樹脂層の上に搭載された板状部材とを有し、
前記樹脂層は、蛍光体粒子と、前記蛍光体粒子よりも粒径が大きく、前記発光素子と前記板状部材との間に挟まれて前記樹脂層の厚さを定めるスペーサー粒子とを含み、
前記スペーサー粒子は、アルカリ金属酸化物含有量が０．２重量％以下の材料から構成されることを特徴とする発光装置。
【請求項４】
請求項１ないし３のいずれか１項に記載の発光装置において、前記アルカリ金属酸化物含有量が０．２重量％以下の材料は、無アルカリガラス、または、ＳｉＯ２およびＡｌ２Ｏ３の少なくとも一方を主成分とする純度９９．９％以上の材料であることを特徴とする発光装置。
【請求項５】
請求項１または２に記載の発光装置において、前記樹脂層は、蛍光体粒子を含有することを特徴とする発光装置。
【請求項６】
請求項１ないし５のいずれか１項に記載の発光装置において、前記板状部材は、蛍光体を含有することを特徴とする発光装置。
【請求項７】
請求項１ないし６のいずれか１項に記載の発光装置において、前記樹脂層および前記板状部材の側面に密着するように配置された反射材料層をさらに有することを特徴とする発光装置。
【請求項８】
基板と、該基板上に並べて実装された複数の発光素子と、前記発光素子上に配置された、前記発光素子の発する光を透過する樹脂を基材とする樹脂層と、前記樹脂層の上に搭載された板状部材とを有し、
前記板状部材の下面は、前記複数の発光素子の上面を合わせたものより大きく、
前記樹脂層は、前記複数の発光素子の外周側側面の下端と前記板状部材の側面とを結ぶ傾斜面を形成し、
前記板状部材は、アルカリ金属酸化物含有量が０．２重量％以下の材料から構成されることを特徴とする発光装置。
【請求項９】
基板と、該基板上に並べて実装された複数の発光素子と、前記発光素子上に配置された、前記発光素子の発する光を透過する樹脂を基材とする樹脂層と、前記複数の発光素子を一体に覆うように前記樹脂層の上に搭載された板状部材とを有し、
前記樹脂層は、蛍光体粒子と、前記蛍光体粒子よりも粒径が大きく、前記発光素子と前記板状光学装置との間に挟まれて前記樹脂層の厚さを定めるスペーサー粒子とを含み、
前記スペーサー粒子は、アルカリ金属酸化物含有量が０．２重量％以下の材料から構成されることを特徴とする発光装置。
【請求項１０】
未硬化の樹脂を、発光素子および板状部材のいずれかまたは両方の面上に表面張力が保たれる量だけ滴下する工程と、
前記未硬化の樹脂の表面張力を保ちながら、前記未硬化の樹脂を介して発光素子と板状部材を重ね合わせることにより、傾斜した側面を有する未硬化の樹脂層を前記発光素子と前記板状部材との間に形成した後、前記樹脂層を硬化させる工程とを有し、
前記板状部材は、アルカリ金属酸化物含有量が０．２重量％以下の材料から構成されていることを特徴とする発光装置の製造方法。
【請求項１１】
請求項８に記載の発光装置の製造方法において、前記樹脂は、粒子を含有し、前記粒子は、アルカリ金属酸化物含有量が０．２重量％以下の材料から構成されていることを特徴とする発光装置の製造方法。
【発明の詳細な説明】
【技術分野】
【０００１】
本発明は、発光素子からの光を波長変換層で変換する発光装置およびその製造方法に関する。
【背景技術】
【０００２】
発光素子からの光の一部を蛍光体で異なる波長の光に変換し、発光素子からの光と混合して出射する発光装置が知られている。このように蛍光体含有層を用いる発光素子の構成としては、特許文献１に記載されているように、カップ内に発光素子を配置し、カップ内を蛍光体含有樹脂で充填する構造や、カップの開口部のみを蛍光体含有樹脂層で覆う構造が知られている。また、発光素子の周囲を蛍光体含有樹脂層で被覆する構造も開示されている。
【０００３】
発光装置（光源）からの出射光をレンズやリフレクタ等の光学系で制御する光学装置では、小型な光学系で有効に光を利用するために、発光面積の小さい発光装置（光源）を用いることが望ましい。
【０００４】
特許文献２では、発光素子の上面に波長変換層を搭載し、発光素子および波長変換層の側面を反射部材で覆った構造が開示されている。発光素子および波長変換層の側面を反射部材で覆うことにより、発光素子および波長変換層の側面方向に放射しようとする光を側面で反射し、上面から出射させることができるため、正面方向の輝度を向上させることができる。
【先行技術文献】
【特許文献】
【０００５】
【特許文献１】特開２００４−３１９８９号公報
【特許文献２】特開２００９−２１８２７４号公報
【発明の概要】
【発明が解決しようとする課題】
【０００６】
特許文献１のように、発光素子をカップや凹部等のキャビティ内に配置し、キャビティの傾斜した内壁面をリフレクタ面として、発光素子の出射光を反射する構造は、上方からの光の外部効率を上げることができるが、発光面は、キャビティの開口部となる。開口の大きさは、キャビティの内壁面の傾きによって決まるが、カップや凹部等のキャビティを所望の内壁面形状に加工できる大きさには限界があり、開口（発光面）の大きさは、必然的に発光素子の上面より大幅に大きくなる。また、発光素子からキャビティの内壁面まで、蛍光体含有樹脂層または封止材料内を光が通過するため、光が減衰するという問題がある。
【０００７】
一方、特許文献２に記載された、発光素子および波長変換層の側面に反射部材が垂直壁になるように配置した構成は、素子または波長変換層の側面から出射される光を反射部材によって反射することで、発光面を小さくし、正面輝度を向上させている。しかし、発光素子の側面で反射部材で反射された光は、発光素子の内部に戻される。発光素子の吸収帯域は、反射光の波長を含むため、側面から出射される横伝播の光の反射や吸収の割合が多くなり、全光束量が落ちてしまうという問題がある。
【０００８】
本発明の目的は、発光面積が小さく、かつ、光の取り出し効率の高い発光装置の製造方法を提供することにある。
【課題を解決するための手段】
【０００９】
上記目的を達成するために、本発明の第１の態様によれば、以下のような発光装置が提供される。すなわち、発光装置は、発光装置は、基板と、基板上に実装された発光素子と、発光素子上に配置された、発光素子の発する光を透過する樹脂を基材とする樹脂層と、樹脂層の上に搭載された板状部材とを有する。板状部材の下面は、発光素子の上面より大きく、樹脂層は、発光素子の側面の下端と板状部材の側面とを結ぶ傾斜面を形成している。板状部材は、アルカリ金属酸化物含有量が０．２重量％以下の材料から構成されている。
【００１０】
本発明の第２の態様によれば、以下のような発光装置が提供される。すなわち、発光装置は、基板と、基板上に実装された発光素子と、発光素子上に配置された、発光素子の発する光を透過する樹脂を基材とする樹脂層と、樹脂層の上に搭載された板状部材とを有する。樹脂層は、蛍光体粒子と、蛍光体粒子よりも粒径が大きく、発光素子と前記板状光学装置との間に挟まれて樹脂層の厚さを定めるスペーサー粒子を含む。スペーサー粒子は、アルカリ金属酸化物含有量が０．２重量％以下の材料から構成されている。
【００１１】
第１の態様および第２の態様のアルカリ金属酸化物含有量が０．２重量％以下の材料としては、例えば、無アルカリガラス、または、ＳｉＯ２およびＡｌ２Ｏ３の少なくとも一方を主成分とする純度９９．９％以上の材料を用いる。
【発明の効果】
【００１２】
本発明によれば、発光素子の側面から出射された光を発光素子の内部に戻さず、反射材料層の傾斜面で反射することができるため、光の取り出し効率が向上する。発光面は板状光学層の上面であるため、小型化できる。また、樹脂層からのオイルブリードを防止できるため、光学特性の劣化を抑制できる。
【図面の簡単な説明】
【００１３】
【図１】実施形態１の発光装置の断面図。
【図２】実施形態１の発光装置の反射材料層１５の傾斜面１３０が（ａ）直線状である場合、（ｂ）外側に凸の曲面である場合、（ｃ）内側に凸の曲面である場合、のそれぞれの断面図。
【図３】（ａ）〜（ｅ）実施形態１の発光装置の製造工程を示す説明図。
【図４】（ａ）および（ｂ）図３（ｂ）の工程において、透明材料１３’の塗布位置のバリエーションを示す断面図。
【図５】（ａ）〜（ｃ）図３（ｂ）の工程において、発光素子１１の向きを下向きとし、透明材料１３’の塗布位置のバリエーションを示す断面図。
【図６】（ａ）〜（ｃ）実施形態２の複数の発光素子を搭載した発光装置の各種形状を示す断面図。
【図７】（ａ）および（ｂ）比較例の複数の発光素子を搭載した発光装置の形状を示す断面図。
【図８】図６（ｂ）の実施形態と図７（ａ）および（ｂ）の比較例の発光装置の上面輝度分布を示すグラフ（ただし、発光素子の数は４個である）。
【図９】（ａ）実施形態３の発光装置の断面図、（ｂ）および（ｃ）実施形態３の発光装置を上面から見た場合のスペーサー１３ｂの配置を模式的に示す説明図。
【図１０】（ａ）〜（ｃ）実施形態３の発光装置の製造工程を示す説明図。
【図１１】（ａ）〜（ｃ）実施形態３の発光装置の樹脂層１３の構造のバリエーションを示す断面図。
【図１２】実施形態４の発光装置の断面図。
【図１３】（ａ）〜（ｃ）実施形態５の複数の発光素子を搭載した発光装置の各種形状を示す断面図。
【発明を実施するための形態】
【００１４】
以下、本発明の一実施の形態の発光装置について説明する。
【００１５】
（実施形態１）
図１に、実施形態１の発光装置の断面図を示す。この発光装置は、発光素子１１側面に近い位置に、光取り出しのための反射面（傾斜面）１３０を備えている。
【００１６】
具体的には、上面に配線が形成されたサブマウント基板１０の上に、フリップチップタイプの発光素子１１が、複数のバンプ１２により接合されることにより実装されている。発光素子１１の上面には、発光素子１１の発する光に対して透明な樹脂層１３が搭載され、その上に波長変換機能を有する板状部材１４が搭載されている。
【００１７】
発光素子１１の外側には、枠体１６が配置され、発光素子１１と枠体１６との間の空間は反射材料層１５により充填されている。反射材料層１５は、非導電性で反射率の高い材料が用いられる。反射材料層１５は、発光素子１１、樹脂層１３および板状部材１４の外周側面を覆っている。また、反射材料層１５は、バンプ１２の間を埋めるように、発光素子１１の底面と基板１０の上面との間の空間も充填している。
【００１８】
板状部材１４の主平面方向の大きさは、発光素子１１よりも若干大きく、反射材料層１５と樹脂層１３との境界で形成される傾斜面１３０が、発光素子１１および板状部材１４の側面方向への出射光を反射する反射面となる。反射材料層１５は、板状部材１４の側面に接しているため、反射材料層１５の開口（発光面）は、板状部材１４の面積と等しく、発光面積の小さい光源を提供できる。
【００１９】
反射材料層１５と樹脂層１３との境界の傾斜面１３０は、図２（ａ）のように、発光素子１１の底面と板状部材１４の下面を直線的に結ぶ傾斜面、図２（ｂ）のように外側（枠体１６側）に凸の曲面、図２（ｃ）のように内側（発光素子１１の中心に向かう側）に凸の曲面に形成可能である。本実施形態では、上面への光の出射効率を向上させるために、図２（ａ）のように直線的な傾斜面である場合と、図２（ｂ）の内側に凸の曲面である場合が好ましい。特に好ましいのは、図２（ｂ）の内側に凸の曲面であって、その曲率が５以下の場合である。
【００２０】
また、傾斜面１３０の発光素子１１側の一端は、必ずしも図２（ａ）〜（ｃ）のように底面と同じ高さにある必要はなく、少なくとも発光素子１１の側面にあればよい。傾斜面１３０の発光素子１１側の一端は、少なくとも発光素子１１の上面よりも基板１０側にあれば発光素子１１側面からの光を反射する傾斜面１３０となる。また、発光素子１１は、基板１０にフリップチップ実装されることが好ましい。フリップチップ実装の場合、発光面が発光素子の底面に近い位置にあるため、傾斜面１３０による反射を最も利用することができるためである。
【００２１】
サブマウント基板１０として、例えば、Auなどの配線パターンが形成されたAlNセラミックス製の基板を用いる。バンプ１２としては、例えばAuバンプを用いる。
【００２２】
発光素子１１としては、所望の波長光を出射するものを用意する。例えば、青色光を発するものを用いる。
【００２３】
板状部材１４は、発光素子１１からの光を所望の波長光に変換する機能を有し、例えば発光素子１１からの光を励起光として所望の波長の蛍光を発する蛍光体を含有する材料により構成する。一例としては、蛍光体を透明樹脂に分散させた層や、蛍光体成分を含有する蛍光ガラスのプレートや、蛍光体原料を焼結して作製した蛍光セラミックスのプレート（例えばYAGプレート）を用いることができる。具体的には例えば、青色光を発する発光素子１１の発光により励起されて、黄色蛍光を発する蛍光体（例えばYAG蛍光体等）を含む板状部材１４を用いる。これにより、青色光と黄色光が混色された白色光を発する発光装置を提供できる。
【００２４】
板状部材１４は、アルカリ金属酸化物の含有量が０．２重量％以下、特に０．１重量％以下であることが好ましい。
【００２５】
樹脂層１３は、発光素子１１の発光および板状部材１４による変換後の光に対して透明な材料を用いる。例えばシリコーン樹脂、エポキシ樹脂等の透明樹脂に粒径０．００１μm〜５０μmのフィラーを添加した樹脂を用いる。
【００２６】
フィラーは、アルカリ金属酸化物の含有量が０．２重量％以下、特に０．１重量％以下であることが好ましい。また、光触媒性を示さない材料であることが望ましい。例えば、無アルカリガラスのフィラーや、ＳｉＯ２およびＡｌ２Ｏ３のうちのいずれかまたはこれらの組み合わせによって構成されているフィラーを用いる。無アルカリガラスは、アルカリ金属酸化物の含有量が０．２重量％以下、特に０．１重量％以下であることが好ましい。ＳｉＯ２およびＡｌ２Ｏ３は、いずれも純度９９．９％以上であることが好ましい。また、フィラーの結晶構造は、アモルファスでもよいが、純度を向上させ、アルカリ金属酸化物含有量を低下させるために多結晶や単結晶のものを用いてもよい。
【００２７】
このように板状部材１４や、樹脂層１３のフィラーとして、アルカリ金属酸化物が０．２重量％以下のものを用いることにより、板状部材１４やフィラーに含有されるアルカリ金属酸化物に起因して、樹脂層１３の基材樹脂（シリコーン樹脂やエポキシ樹脂等）にオイルブリードが生じるのを防止することができる。すなわち、フィラーに含有されるアルカリ成分により樹脂層１３の基材樹脂が一部分解され、低分子化することによりオイル状物質が生じ、これが樹脂層１３からにじみ出すオイルブリード現象を防止することができる。これにより、にじみ出たオイルにより樹脂層１３と板状部材１４の界面に凹凸が生じたり、板状部材１４の表面にオイルが這い上がる等して、光学特性を劣化させる現象を防止できる。
【００２８】
反射材料層１５としては、例えば、酸化チタンや酸化亜鉛等の反射性のフィラーを分散させた樹脂を用いる。このとき、酸化チタンや酸化亜鉛のフィラーについても、アルカリ金属酸化物の含有量が０．２重量％以下で、かつ、光触媒性を示さない構造のフィラーを用いることが望ましい。反射材料層１５および樹脂層１３の基材樹脂にオイルブリードを生じさせないためである。
【００２９】
枠体１６は、例えばセラミックリングを用いる。
【００３０】
このような構成の発光装置は、図１のように発光素子１１から放射される光のうち、上方へ向かって出射される光は、樹脂層１３を透過し、板状部材１４に入射する。下方に出射される光は、発光素子１１の底面で反射材料層１５により反射され、上方に向かう。
【００３１】
このように、発光素子１１の底面と基板１０の上面との間の空隙をバンプ１２を取り囲むように反射材料層１５で充填することにより、発光素子１１の下面側に出射される光を、反射材料層１５で反射して上方に向けて出射することができる。よって、発光素子１１の底面と基板１０の上面との間で光が繰り返し反射されて減衰するのを防止できるため、上方への光の取り出し効率を向上させることができる。
【００３２】
発光素子１１の側面から出射される光は、側面から樹脂層１３に入射し、反射材料層１５と樹脂層１３との境界の傾斜面１３０によって上方に反射される。これにより発光素子１１の側面から出射される光の多くは、発光素子１１の内部に戻されないため、発光素子１１によって吸収されない。また、発光素子１１の側面と反射材料層１５までの距離は短いため、樹脂層１３による吸収の影響もほとんど受けない。
【００３３】
このように発光素子１１の出射光は、直接、または傾斜面１３０で反射されて板状部材１４に入射する。板状部材１４に入射した光は、一部または全部が所定の波長の光に変換され、板状部材１４の上面から出射される。板状部材１４の内側から横方向に進行する光は、側面において傾斜面１３０によって反射され、板状部材１４内に戻され、上面から出射される。
【００３４】
よって、本実施形態の発光装置の発光面は、板状部材１４の上面（反射材料層１５の開口）であり、発光面積の小さい小型の発光装置が提供される。また、小径ながら反射材料層１３によりキャビティを形成しているため、発光素子１１の側面から出射された光の多くは、発光素子１１の内部に戻されることなく、樹脂層１３を短い距離だけ通過した後、反射材料層１３により反射されて上方に向かうため、光の取り出し効率が向上する。
【００３５】
また、板状部材１４および樹脂層１３のフィラーとして、アルカリ金属酸化物の含有量が０．２重量％以下のものを用いているため、樹脂層１３にオイルブリードが生じにくく、長時間発光や大光量発光の場合も光学特性が劣化しにくい。
【００３６】
つぎに、本実施形態の発光装置の製造方法について図３（ａ）〜（ｅ）を用いて説明する。まず、図３（ａ）のように、サブマウント基板１０の上面の配線パターンに、フリップチップタイプの発光素子１１の素子電極をバンプ１２を用いて接合し、実装する。図３（ｂ）のように、シリコーン樹脂等の樹脂（未硬化）１３’を発光素子１１の上面に塗布（滴下）し、発光素子１１の上面より若干大きいプレート状の板状部材１４を搭載する。これにより、図３（ｃ）のように未硬化の樹脂１３’が発光素子の側面の少なくとも一部を覆いつつ表面張力を保つことによって、発光素子１１の側面と板状部材１４の下面を接続する傾斜面１３０が形成される。
【００３７】
このとき、樹脂１３’の量が少なければ、図２（ｃ）のように発光素子１１側に凸の曲面の傾斜面１３０が形成され、樹脂１３’の量を増やすと図２（ａ）、図３（ｃ）のように直線的な傾斜面１３０が形成され、さらに樹脂１３’の量を増やすと図２（ｂ）のように外側に凸の曲面の傾斜面１３０が形成される。
【００３８】
樹脂１３’を所定硬化処理により硬化させ、樹脂層１３を形成する。なお、この後の工程で樹脂層１３の形状が変わらないのであれば、完全に硬化させず、半硬化となる条件で硬化させても良い。
【００３９】
つぎに、図３（ｄ）のように、発光素子１１の外側の基板１０上面に枠体１６を樹脂等で接着する。図３（ｅ）のように、発光素子１１、樹脂層１３および板状部材１４と、枠体１６との間に、ディスペンサなどで反射材料（未硬化）を注入する。この際、発光素子１１の下部のバンプ１２の周囲にも反射材料が十分充填されるように注入する。また、樹脂層１３の傾斜面１３０および板状部材の側面に、反射材料（未硬化）が隙間なく密着するように充填する。これにより、樹脂層１３の傾斜面１３０に沿う形状の反射材料層１５を形成することができる。最後に、反射材料を所定の硬化処理により硬化させ、反射材料層１５を形成する。以上により、本実施形態の発光装置が製造される。
【００４０】
本実施形態では、未硬化の樹脂の表面張力を利用して樹脂層１３の傾斜面１３０を予め形成することにより、樹脂層１３の周囲および板状部材の周囲に反射材料層１５を充填するだけで、所望の形状の反射材料層１５の傾斜面１３０を形成することができ、かつ、板状部材１４の側面に反射材料層１５を密着させることができる。これにより、機械加工を必要とせず、小さな開口で所望の形状の傾斜面（キャビティ）を製造することができる。
【００４１】
また、この製造方法は、反射材料を充填する際に、発光素子１１の底面とサブマウント基板１０との間の空間にも反射材料を充填することができる。よって、発光素子１１の下部における光の減衰を防止し、発光素子１１側面での戻り光を発光素子が吸収することによる減衰を防止することができ、光の取り出し効率を向上させることができる。また、発光面（開口）が小さいため、小型な光学系により少ないロスで光を制御することができる。
【００４２】
さらに、塗布する樹脂１３’の量を調整することにより、反射材料層１５の傾斜面１３０の形状を変えることができる。
【００４３】
なお、上述の製造方法において、図３（ｂ）の工程では、発光素子１１の上面に未硬化の樹脂１３’を塗布したが、本実施形態の製造方法はこれに限られるものではない。例えば、図４（ａ）のように、板状部材１４の下面に樹脂１３’を塗布することも可能であるし、図４（ｂ）のように、発光素子１１の上面と板状部材１４の下面の両方に樹脂１３’を塗布することもできる。また、図５（ａ）〜（ｃ）のように、サブマウント１０に実装された発光素子１１を下向きにして、図５（ａ）のように樹脂１３’を発光素子１１の下面、図５（ｂ）のように板状部材１４の上面、図５（ｃ）のように発光素子１１の下面と板状部材１４の上面の両方、にそれぞれ塗布する構成とすることも可能である。
【００４４】
なお、樹脂層１３の傾斜面１３０は、発光素子１１側に凸で、曲率５以下が望ましい。
【００４５】
実施形態１では、反射材料層１５と樹脂層１３の界面の傾斜面１３０で光を反射する構成であるが、反射材料層１５を配置しない構成にすることも可能である。この場合も樹脂層１３と空気との界面において光を反射することができるので、実施形態１と同様の光反射の作用が得られる。
【００４６】
（実施形態２）
つぎに、実施形態２として、複数の発光素子１１を一つのサブマウント基板１０に搭載した発光装置について説明する。図６（ａ），（ｂ），（ｃ）に、実施形態２の発光装置の断面図を示す。
【００４７】
複数の発光素子１１には一つの板状部材１４によって覆われている。複数の発光素子１１を取り囲む反射材料層１５が配置されている。樹脂層１３の側面の傾斜面１３０は、発光素子１１の底面と板状部材１４の下面を直線的に結ぶ傾斜面または図６（ａ）〜（ｃ）のように発光素子１１側に凸の曲面であることが好ましい。特に好ましいのは、凸の曲面であって、その曲率が５以下の場合である。
【００４８】
樹脂層１３は、図６（ａ），（ｂ）のように複数の発光素子１１の間の領域で、表面が板状部材１４に向かって凸の曲面である。反射材料層１５は、この曲面に沿う凸形状８１に充填されている。複数の発光素子１１の間の領域の樹脂層１３の表面を、板状部材１４に向かって凸の曲面形状にすることにより、複数の発光素子１１の間の領域で輝度のムラが生じるのを防止することができる。
【００４９】
反射材料層１５の凸形状８１の上部は、図６（ａ）のように板状部材１４に達していてもよいが、図６（ｂ）のように板状部材１４まで達していない形状であることが好ましい。
【００５０】
凸形状８１の側面形状は、傾斜面１３０と同様に、発光素子１１側に凸で、その曲率が５以下であることが好ましい。
【００５１】
また、反射材料層１５は、各発光素子１１の下面とサブマウント基板１０の上面との間の間隙を充填していることが好ましい。
【００５２】
他の構成は、第１の実施形態と同様であるので説明を省略する。
【００５３】
図６（ａ）〜（ｃ）の発光装置の製造方法は、実施形態１の図３（ａ）〜（ｅ）と同様であるが、図６（ａ）の構成の場合、各発光素子１１上、もしくは、板状部材１４の各発光素子１１と重ね合わされる各領域上、のいずれかまたは両方に樹脂１３’を等量ずつ塗布し、各発光素子１１上の樹脂層１３の傾斜面１３０が所望の形状になるように形成する。ただし、図６（ｂ）、（ｃ）のように隣合う発光素子１１上部の樹脂層１３から隣り合う発光素子１１の間の領域で連結している形状の場合には、樹脂１３’の総塗布量が所定量となるように、各発光素子１１上に塗布する樹脂１３’の量を変えてもよい。
【００５４】
具体的には、図６（ａ）のように樹脂１３’を形成する場合、樹脂１３’を介して発光素子１１と板状部材１４を重ね合わせた際に、複数の発光素子１１の間の領域において、樹脂１３’の表面が板状部材１４に接し、樹脂１３’が傾斜した側面を形成するようにする。図６（ｂ）の場合には、隣り合う発光素子１１上の樹脂１３’同士が相互に連結し、複数の発光素子１１の間の領域において、樹脂１３’の表面が板状部材１４に向かって凸の曲面を形成するようにする。これにより、隣合う発光素子１１の間に、樹脂１３’で充填されていない空間を形成することができる。この後、樹脂１３’を硬化させる。
【００５５】
また、図３（ｅ）の反射材料層１５を充填する工程では、図６（ａ）、（ｂ）のように複数の発光素子１１の間に凸形状８１に反射材料層１５を盛り上げるために、未硬化の反射材料の粘度を調整しておく。
【００５６】
実施形態２の発光装置は、複数の発光素子１１を搭載した構成でありながら、傾斜面１３０を発光素子１１の近い位置に所望の曲面形状で形成することができるため、上面方向の光の取り出し効率を向上させることができる。また、発光面積は、板状部材１４の面積に等しく、小型の発光装置を提供できる。
【００５７】
さらに、図６（ａ），（ｂ）のように、複数の発光素子１１の間の領域の樹脂層１３の表面を板状部材に向かって凸の曲面にすることにより、複数の発光素子１１の間で輝度が低下し、発光面に輝度ムラが生じるのを防止することができる。
【００５８】
具体的には、図６（ｂ）の構造の発光装置と、比較例として図７（ａ）、（ｂ）の構造の発光装置を製造し、上面の輝度分布を測定したところ、図８のような結果が得られた。ただし、図６（ｂ）、図７（ａ），（ｂ）では、発光素子１１は２個であるが、測定に用いた発光装置は、４個の発光素子を一列に並べた構成である。
【００５９】
図８から明らかなように、本実施形態の図６（ｂ）の発光装置は、複数の発光素子１１の間隙における輝度低下が、図７（ａ），（ｂ）の発光装置よりも明らかに小さく、輝度むらが低減されていることが分かる。
【００６０】
図７（ａ）のように、傾斜面１３０を形成せず、発光素子１１の周囲を底面まで含めて反射材料層１５で充填した構造は、発光素子の中央部では、図６（ｂ）の本実施形態の発光装置と同様の輝度が得られているが、発光素子１１の間隙領域において、大きく輝度が低下している。一方、図７（ｂ）のように発光素子１１の側面から離れた位置に垂直な端面を有する反射材料層１５を形成した場合には、発光素子１１の中央部においても、発光素子１１の間隙においても輝度が小さい。
【００６１】
このように、本実施形態の発光装置は、発光素子の上方の輝度が大きく、かつ、間隙における輝度低下が少なく、輝度むらが小さいことが確認された。
【００６２】
上述した実施形態１および２では、板状の板状部材１４において、発光素子から出た青色光（短波長）を波長の長い光（蛍光）に変換する例について説明したが、これに限らず、板状部材１４において複数の波長に変換できるように、多層構造や複数の波長変換材料を含有する構成を採用することもできる。
【００６３】
また、板状部材１４が、波長変換を目的とせず、発光素子の波長に対して透明もしくは半透明な光学層であってもよい。更には、板状部材１４の表裏面が平坦である場合のみならず、光取り出し構造や、光学レンズとしての構造に加工されていてもよい。
【００６４】
実施形態２の構成において、反射材料層１５を配置しない構成にすることも可能である。この場合も樹脂層１３と空気との界面において光を反射することができるので実施形態２と同様の光反射の作用が得られる。
【００６５】
（実施形態３）
図９（ａ）に、実施形態３の発光装置の断面図を、図９（ｂ）および（ｃ）に上面図を示す。図９（ａ）のように、上面に配線が形成されたサブマウント基板１０の上に、フリップチップタイプの発光素子１１が、複数のバンプ１２により接合されることにより実装されている。発光素子１１の上面には、波長変換機能を有する樹脂層１３が搭載され、樹脂層１３の上には透明な板状部材１４が搭載されている。
【００６６】
樹脂層１３の基材には、蛍光体粒子１３ａが高濃度に分散され、さらにスペーサー１３ｂが分散されている。基材としては、発光素子１１の発する光、および、発光素子１１の発する光により励起された蛍光体粒子１３ａが発する蛍光に対して透明な材料を用いられる。基材は、実施形態１と同様に透明樹脂を用いる。例えばシリコーン樹脂、エポキシ樹脂等の透明樹脂を用いることができる。スペーサー１３ｂの粒径よりも小さければ、フィラーや色素を基材に分散させることも可能である。
【００６７】
樹脂層１３に含有されるスペーサー１３ｂは、発光素子１１と板状部材１４との間に挟まれることにより、発光素子１１上面と板状部材１４との間隔を定め、これにより樹脂層１３の層厚を規定（決定）している。スペーサー１３ｂは、形成すべき樹脂層１３の層厚に応じて、所望の粒径を有する粒子状のものであればよく、その形状は、多面体であっても球状であってもよい。例えば、１０μｍ以上１００μｍ以下の粒径のスペーサー１３ｂを好適に用いることができる。このような粒径のスペーサー１３ｂは、発光素子１１の発する可視光波長よりも粒径がひと桁以上大きいため、光を散乱させる作用はほとんど生じない。
【００６８】
スペーサー１３ｂの上部および下部はそれぞれ、板状部材１４および発光素子１１と直接接していてもよいし、スペーサー１３ｂと板状部材との間、および、スペーサー１３ｂと発光素子１１上面との間に、樹脂層１３を構成する基材が挟まれていてもかまわない。硬化前の基材の粘度や、スペーサー１３ｂ表面の基材に対する濡れ性によって、スペーサー１３ｂの周囲には基材との親和性が発生し、スペーサー１３ｂと板状部材との間に基材が入り込むためである。ただし、すべてのスペーサー１３ｂに対して同じ条件で基材との親和性が発生するため、スペーサー１３ｂが樹脂層１３の厚みを規定する作用を発揮することに変わりはない。
【００６９】
スペーサー１３ｂの材質は、高精度に所定の粒径を実現できるものであればガラス等の無機材料であっても樹脂等の有機材料であっても構わない。スペーサー１３ｂは、発光素子１１の発する光および蛍光体の蛍光に対して、半透明または透明であることが望ましく、より好ましくは透明なものを用いる。
【００７０】
樹脂層１３に含有されるスペーサー１３ｂおよびフィラーは、アルカリ金属酸化物の含有量が０．２重量％以下、特に０．１重量％以下であることが好ましい。また、光触媒性を示さないものが好ましい。例えば、無アルカリガラスによって構成されたスペーサー１３ｂやフィラーや、ＳｉＯ２およびＡｌ２Ｏ３のうちのいずれかまたはこれらの組み合わせによって構成されているスペーサーやフィラーを用いる。無アルカリガラスは、アルカリ金属酸化物の含有量が０．２重量％以下、特に０．１重量％以下であることが好ましい。ＳｉＯ２およびＡｌ２Ｏ３は、いずれも純度９９．９％以上であることが好ましい。また、スペーサー１３ｂやフィラーの結晶構造は、アモルファスでもよいが、純度を向上させ、アルカリ金属酸化物含有量を低下させるために多結晶や単結晶のものを用いてもよい。
【００７１】
また、スペーサー１３ｂの内部に蛍光体を分散させることも可能である。分散させる蛍光体は、蛍光体粒子１３ａと同様のものを用いることができる。
【００７２】
スペーサー１３ｂは、板状透明部材１４を発光素子１１の上面に対して平行に支持するために、図９（ｃ）に示すように、発光素子１１の上面に最低で３個配置されていることが望ましい。特に、図９（ｂ）の黒丸で示すように発光素子１１の四隅に１個ずつ配置されていることが望ましい。
【００７３】
スペーサー１３ｂは、粒径が大きいため、粒子間の引力・斥力により相互位置を変化させる作用は生じず、基材および蛍光体粒子１３ａに混練された時点の分散状態を維持して発光素子１１上に展開される。よって、図９（ｂ）の黒丸のように発光素子１１上面の四隅近傍に１個ずつ配置するためには、図９（ｂ）のように発光素子１１上面を仮想的に正方形の領域に縦横に分割し、隣接する正方形の領域の中心同士の距離でスペーサー１３ｂが分散される密度となる量で、スペーサー１３ｂを基材および蛍光体粒子１３ａに添加し、混練して分散させる。この混練物を発光素子１１上面に塗布や印刷で広げると、確率的に、仮想的な正方形の領域に１つずつスペーサー１３ｂが配置されるため、発光素子１１の上面の四隅の正方形の領域にそれぞれ高い確率でスペーサー１３ｂを配置することができる。
【００７４】
蛍光体粒子１３ａは、粒径がスペーサー１３ｂよりも小さいものを用いる。具体的には、スペーサー１３ｂの粒径よりもわずかでも小さければよいが、１０％以上小さいものが好ましい。蛍光体粒子１３ａとしては、発光素子１１の発する光により励起され、所望の波長の蛍光を発する蛍光体を用いる。例えば、白色光を発する発光装置を構成する場合、青色光を発する発光素子１１を用い、青色光を励起光として黄色蛍光を発する蛍光体（例えばＹＡＧ蛍光体）を用いることができる。
【００７５】
板状部材１４は、平坦な下面を備え、この下面がスペーサー１３ｂにより支持されることにより、発光素子１１の上面との間に厚さ一定の樹脂層１３が形成できる部材であればよい。板状部材１４の平坦な下面は、巨視的に平坦であればよく、微視的には光を拡散・配光等させるための微細な凹凸が形成されていてもよい。凹凸を形成する場合には、スペーサー１３ｂや蛍光体粒子の作用に影響を与えないために、凹凸のサイズは５μｍ以下であることが好ましい。また、板状部材１４の上面側に、光拡散・配光用の凹凸を設けることも可能である。
【００７６】
また、板状部材１４は、アルカリ金属酸化物の含有量が０．２重量％以下、特に０．１重量％以下であることが好ましい。また、板状部材１４は、光触媒性を示さないものが好ましい。
【００７７】
板状部材１４の上面は、光取り出し面となるため、光の取り出し効率を向上させるために表面処理を施し加工してもよい。また、板状部材１４の上面は必ずしも平面である必要はなく、散乱、集光、配光を目的とした形状、例えば凹凸形状やレンズ形状に加工されていてもよい。
【００７８】
ここでは、板状部材１４は、発光素子１１の発する光、および、蛍光体粒子１３ａの発する蛍光に対して透明なものを用いるが、所望の光学特性を有するものであっても構わない。例えば、所定の波長をカットする板状フィルターを板状部材１４として用いることも可能である。また、発光素子１１からの光を所望の波長光に変換する蛍光体成分を含有する蛍光ガラスプレートや、蛍光体原料を焼結して作製した蛍光セラミックスのプレート（例えばYAGプレート）を用いることも可能である。
【００７９】
サブマウント基板１０としては、例えば、Auなどの配線パターンが形成されたAlNセラミックス製の基板を用いる。バンプ１２としては、例えばAuバンプを用いる。
【００８０】
本実施形態では、スペーサー１３ｂを配置したことにより、樹脂層１３を薄く、かつ、所定の層厚に精度よく形成することができるため、樹脂層１３の基材に含有される蛍光体粒子１３ａの濃度を変換効率が大幅に向上する高濃度にすることができる。例えば、樹脂層１３の基材に含有される蛍光体粒子１３ａの濃度を１３重量％〜９０重量％、樹脂層１３の層厚を２００μｍ〜３０μｍ、膜厚のバラつきを１０％以下にすることが可能である。蛍光体粒子１３ａの濃度は、１３重量％以上であればよいが、好ましくは３０重量％以上、より好ましくは５０重量％以上である。
【００８１】
このように板状部材１４や、樹脂層１３のスペーサー１３ｂやフィラーとして、アルカリ金属酸化物が０．２重量％以下のものを用いることにより、板状部材１４やフィラーに含有されるアルカリ金属酸化物に起因して、樹脂層１３の基材樹脂（シリコーン樹脂やエポキシ樹脂等）にオイルブリードが生じるのを防止することができる。すなわち、フィラーに含有されるアルカリ成分により樹脂層１３の基材樹脂が一部分解され、低分子化することにより生じたオイル状物質が樹脂層１３からにじみ出すオイルブリードを防止することができる。これにより、にじみ出たオイルにより樹脂層１３と板状部材１４の界面に凹凸を生じさせたり、板状部材１４の表面にオイルが這い上がる等して、光学特性を劣化させる現象を防止できる。
【００８２】
つぎに、本実施形態の発光装置の製造方法について図１０（ａ）〜（ｃ）を用いて説明する。まず、図１０（ａ）のように、サブマウント基板１０の上面の配線パターンに、フリップチップタイプの発光素子１１の素子電極をバンプ１２を用いて接合し、実装する。樹脂層１３の未硬化の基材を用意し、蛍光体粒子１３ａおよびスペーサー１３ｂを予め定めた濃度で添加し、十分に混練することにより、基材中に一様に分散させ、未硬化のペースト１３’を得る。このペースト１３’を図１０（ｂ）のように、発光素子１１の上面に所定量塗布（または滴下）し、発光素子１１の上面より若干大きい板状部材１４を搭載する。板状部材１４の自重、もしくは、必要に応じて板状部材１４の上面に荷重をかけ、ペースト１３’中のスペーサー１３ｂによって板状部材１４が発光素子１１上面に支持され、発光素子１１上面と板状部材１４との間隔がスペーサー１３ｂによって定まるようにする。
【００８３】
これにより、図１０（ｃ）のように未硬化のペースト１３’は、スペーサー１３ｂの粒径相当もしくは、スペーサー１３ｂの周囲を覆う基材層の厚さを粒径に加えたものに相当する層厚のペースト１３’の層が形成される。このとき、ペースト１３’は、発光素子１１の側面の少なくとも一部を覆いつつ表面張力を保つことによって、発光素子１１の側面と板状部材１４の下面を接続する傾斜面１３０が形成される。
【００８４】
ペースト１３’を所定の硬化処理により硬化させ、樹脂層１３を形成する。これにより、図９（ａ）の発光装置が完成する。なお、この後の工程で樹脂層１３の形状が変わらないのであれば、完全に硬化させず、半硬化となる条件で硬化させても良い。
【００８５】
このような構成の発光装置の各部の作用について説明する。発光素子１１から上方に放射された光は、樹脂層１３に入射し、一部が蛍光体によって所定の波長の光に変換され、蛍光体によって変換されなかった光と混合されて板状部材１４の上面から出射される。発光素子１１の側面から出射される光は、樹脂層１３に入射し、一部が蛍光体によって所定の波長の光に変換され、波長変換層の傾斜面１３０から外部に出射されるか、傾斜面１３０によって上方に反射され、板状部材１４の上面から出射される。
【００８６】
樹脂層１３は、蛍光体粒子１３ａの濃度を大きくすることができるため、変換効率が大幅に向上することができる。このとき樹脂層１３の層厚は、蛍光体粒子１３ａの濃度に応じた厚さに、スペーサー１３ｂによって高精度に定められているため、厚さが一様であり、しかも、製品間のばらつきも小さい。よって、同一製品内の色ムラが少なく、しかも、製品間の色のばらつきも小さい発光装置を提供できる。
【００８７】
なお、上述の実施形態では、樹脂層１３の側面が表面張力により傾斜面１３０を構成する例について説明したが、本発明はこの形状に限定されるものではない。例えば、傾斜面１３０は、図１１（ａ）のように、内側（発光素子１１の中心に向かう側）に凸の曲面であっても、図１１（ｂ）のように外側に凸の曲面であっても構わない。また、図１１（ｃ）のように表面張力による傾斜面を形成せず、サブマウント基板１０の上面まで樹脂層１３が達していてもよい。
【００８８】
樹脂層１３の側面の形状は、製造時の図１０（ｂ）の工程で塗布（または滴下）するペースト１３’の量により制御することができる。ペースト１３’の量が少なければ、図１１（ａ）のように内側に凸の曲面の傾斜面１３０が形成され、ペースト１３’の量を増やすと、図９（ａ）のように直線状の傾斜面１３０となり、さらに増やすと図１１（ｂ）のように外側に凸の曲面の傾斜面１３０が形成される。表面張力が生じないほどにペースト１３’の量を増やすと、図１１（ｃ）のようにサブマウント基板１０の上面まで樹脂層１３が達する。
【００８９】
（実施形態４）
図１２に、実施形態４の発光装置の断面図を示す。この発光装置は、光の取り出し効率をさらに向上させるために、実施形態３の図１１の発光装置の発光素子１１の下面の空隙を反射材料層１５によって充填した構成である。また、反射材料層１５は、発光素子１１、樹脂層１３および板状部材１４の側面も覆っている。
【００９０】
具体的には、発光素子１１の外側には、枠体１６が配置され、発光素子１１と枠体１６との間の空間は反射材料層１５により充填されている。反射材料層１５は、非導電性で反射率の高い材料が用いられる。反射材料層１５は、発光素子１１、樹脂層１３および板状部材１４の外周側面を覆っている。反射材料層１５は、バンプ１２の間を埋めるように、発光素子１１の底面と基板１０の上面との間の空間も充填している。
【００９１】
反射材料層１５としては、例えば、酸化チタンや酸化亜鉛等の反射性のフィラーを分散させた樹脂を用いる。このとき、酸化チタンや酸化亜鉛のフィラーについても、アルカリ金属酸化物の含有量が０．２重量％以下で、かつ、光触媒性を示さない構造のフィラーを用いることが望ましい。樹脂にオイルブリードを生じさせないためである。
【００９２】
枠体１６は、例えばセラミックリングを用いる。
【００９３】
このような構成の発光装置は、図１２のように発光素子１１から放射される光のうち、上方から出射される光は、実施形態３と同様に樹脂層１３に入射し、波長変換されて、板状部材１４から上方に出射される。
【００９４】
発光素子１１の下面側に出射される光は、発光素子１１の底面と基板１０の上面との間の空隙を充填する反射材料層１５により上方に向けて反射される。よって、発光素子１１の底面と基板１０の上面との間で光が繰り返し反射されて減衰するのを防止できるため、上方への光の取り出し効率を向上させることができる。
【００９５】
発光素子１１の側面から出射される光は、側面から樹脂層１３に入射し、一部が波長変換され、反射材料層１５と樹脂層１３との境界の傾斜面１３０によって上方に反射される。これにより、発光素子１１の側面から出射される光の多くは、発光素子１１の内部に戻されず、上方に向かうため、発光素子１１によって吸収されない。よって、横方向伝搬光を上方から効率よく取り出すことができるため、光の取り出し効率を向上させることができる。
【００９６】
また、反射材料層１５は、板状部材１４の側面に接しているため、反射材料層１５の開口（発光面）は、板状部材１４の面積と等しく、発光面積の小さい光源を提供できる。
【００９７】
反射材料層１５と樹脂層１３との境界の傾斜面１３０は、図１２では、内側に凸の曲面である例を示しているが、この形状に限らず、図９（ａ）のように直線的な傾斜面や、図１１（ｂ）のように外側（枠体１６側）に凸の曲面であってもよい。特に好ましいのは、図１２のように傾斜面１３０が内側に凸の曲面であって、その曲率が５以下の場合である。
【００９８】
また、傾斜面１３０の下端は、必ずしも図１２、図９（ａ）、図１１（ｂ）のように発光素子１１の底面と同じ高さにある必要はなく、少なくとも発光素子１１の側面にあればよい。傾斜面１３０の上端は、少なくとも発光素子１１の上面よりも基板１０側にあれば発光素子１１側面からの光を反射する傾斜面１３０となる。また、発光素子１１は、基板１０にフリップチップ実装されることが好ましい。フリップチップ実装の場合、発光面が発光素子の底面に近い位置にあるため、傾斜面１３０による反射を最も利用することができるためである。
【００９９】
なお、実施形態４の発光装置の製造方法は、実施形態３と同様である。
【０１００】
（実施形態５）
実施形態５では、複数の発光素子１１を一つのサブマウント基板１０に搭載した発光装置について説明する。図１３（ａ），（ｂ），（ｃ）に、実施形態５の発光装置の断面図を示す。
【０１０１】
複数の発光素子１１の全体を一つの板状部材１４によって覆うようにマウントされている。複数の発光素子１１と板状部材１４の間隔は、これらの間に挟まるスペーサー１３ｂによって定められている。発光素子１１と板状部材１４との間には、薄い樹脂層１３が形成される。
【０１０２】
複数の発光素子１１をサブマウント基板１０へ実装する際の誤差等により、複数の発光素子１１の上面の高さが同一ではない場合があり得る。この場合、複数の発光素子１１全体に１つの板状部材１４をマウントすると、最も上面が高い発光素子１１上のスペーサー１３ｂによって板状部材１４が支持され、それよりも上面が低い発光素子１１上のスペーサー１３ｂは、樹脂層１３の層厚決定には寄与せず、スペーサー１３ｂと板状部材１４との間には、厚い基材層や蛍光体粒子１３ａが挟まれる構造になることもあるが、それでも構わない。このような場合、最も上面が高い発光素子１１上のスペーサー１３ｂのみがスペーサーとして機能し、上面が低い発光素子１１のスペーサー１３ｂはスペーサーとして機能していないが、発光素子１１の高さのばらつきが許容される誤差範囲であれば、樹脂層１３の層厚のばらつきを所定の範囲内に収めることができるからである。
【０１０３】
樹脂層１３の外周の傾斜面１３０は、図１３（ａ）〜（ｃ）のように内側に凸の曲面、または、図９（ａ）のように発光素子１１の底面と板状部材１４の下面を直線的に結ぶ傾斜面であることが好ましい。また、図１１（ｂ）のように外側に凸の曲面にすることも可能である。
【０１０４】
図１３（ａ），（ｂ）のように複数の発光素子１１の間の樹脂層１３の側面も傾斜面１３０を形成していることが好ましい。複数の発光素子１１の間の樹脂層１３の傾斜面は、図１３（ｂ）のように板状部材１４まで達していない形状であることが好ましい。図１３（ａ）のように板状部材１４に達していても構わない。
【０１０５】
図１３（ａ）〜（ｃ）の発光装置の製造方法は、実施形態３の図１０（ａ）〜（ｃ）と同様であるが、図１３（ａ）の構成の場合、各発光素子１１上、もしくは、板状部材１４の各発光素子１１と重ね合わされる各領域上、のいずれかまたは両方にペースト１３’を等量ずつ塗布し、各発光素子１１上の樹脂層１３の傾斜面１３０が所望の形状になるように形成する。ただし、図１３（ｂ）、（ｃ）のように隣合う発光素子１１上部の樹脂層１３が連結している場合には、ペースト１３’の総塗布量が所定量となるように、各発光素子１１上に塗布するペースト１３’の量を変えてもよい。
【０１０６】
実施形態５の発光装置は、複数の発光素子１１を搭載した構成でありながら、上面方向の光の取り出し効率を向上させることができる。さらに、図１３（ａ），（ｂ）のように、複数の発光素子１１の間の領域に傾斜面１３０を形成することにより、複数の発光素子１１の間の領域で光を上方に向けて反射できるため、複数の発光素子１１の間で輝度が低下し、発光面に輝度ムラが生じるのを防止することができる。
【０１０７】
なお、実施形態５の図１３（ａ），（ｂ），（ｃ）の構成の外側に、図１２のように反射材料層１５を配置することも可能である。この場合、図１３（ａ），（ｂ）の構成では、複数の発光素子１１の間の領域の傾斜面１３０にも反射材料層１５が接するように充填することが望ましい。
【実施例】
【０１０８】
＜実施例１＞
実施例１として、図１２の構造の発光装置を製造した。ｌｍｍ角で厚さ１００μｍのフリップチップタイプの発光素子１１が実装されたサブマウント基板１０を用意した。シリコーン樹脂に、蛍光体粒子１３ａとして粒径１５μｍのＹＡＧ蛍光体を６０重量％、および、スペーサー１３ｂとしてシリカガラス（宇部日東化成製、ＳｉＯ２の純度９９．９％）の球形ビーズ（平均粒子径４０±４μｍ、ＣＶ値±３．５％）を５重量％添加し、十分に混練して均一に分散させ、ペースト１３’を得た。
【０１０９】
発光素子１１上面にペースト１３’としてペースト１３’を約７．０×１０−４ｍｌ塗布した。その上から厚さ０．１ｍｍで１．２ｍｍ角の無アルカリガラス（ＯＡ−１０Ｇ、日本電気硝子(株)製、アルカリ金属酸化物含有量０．１重量％以下）の板状部材１４をマウントした。板状部材１４の自重により、ペースト１３’は発光素子１１上面と板ガラスとの間の空間に広がり、板状部材１４は、ガラスビーズ（スペーサー１３ａ）によって発光素子１１の支持された状態となった。これにより、高濃度に蛍光体粒子１３ａが含有されたペースト１３’（未硬化の樹脂層１３）の薄い層が形成された。この層の膜厚は、スペーサー１３ｂを挟んだ板状部材１４と発光素子１１との間隔によって規定されていた。
【０１１０】
樹脂層１３のシリコーン樹脂を硬化させるために１５０℃で４時間加熱した。その後、ＴｉＯ２フィラーを分散させたシリコーン樹脂を反射材料としてリング枠体１６内に充填し、１５０℃にて４時間加熱し硬化させ、反射材料層１５を形成した。これにより、図１２の形状の発光装置を製造した。
【０１１１】
＜実施例２＞
実施例２として、スペーサー１３ｂをチタンバリウム系ガラス（ＧＳ４０Ｓ、日本電気硝子(株)、アルカリ金属酸化物含有量０．２重量％未満，ＴｉＯ２，ＺｎＯ，ＢａＯ，ＺｒＯ２，ＣａＯおよびＳｉＯ２を含む）の球形ビーズ（中心粒径４１±２μｍ、粒径ばらつき±３μｍ）に変更し、板状部材１４の材質を無アルカリガラス（ＡＦ４５、ショット日本（株）製、アルカリ金属酸化物含有量０．２重量％以下）に変更し、他の条件は実施例１と同じにして発光装置を製造した。
【０１１２】
＜実施例３＞
実施例３として、スペーサー１３ｂをチタンバリウム系ガラス（ＧＳ４０Ｓ、日本電気硝子(株)、アルカリ金属酸化物含有量０．２重量％未満，ＴｉＯ２，ＺｎＯ，ＢａＯ，ＺｒＯ２，ＣａＯおよびＳｉＯ２を含む）の球形ビーズ（中心粒径４１±２μｍ、粒径ばらつき±３μｍ）に変更し、他の条件は実施例１と同じにして発光装置を製造した。
【０１１３】
＜比較例１＞
比較例１として、スペーサー１３ｂをチタンバリウム系ガラス（ＧＳ４０Ｓ、日本電気硝子(株)、アルカリ金属酸化物含有量０．２重量％未満，ＴｉＯ２，ＺｎＯ，ＢａＯ，ＺｒＯ２，ＣａＯおよびＳｉＯ２を含む）の球形ビーズ（中心粒径４１±２μｍ、粒径ばらつき±３μｍ）に変更し、板状部材１４の材質を低アルカリガラス（Ｄ２６３、ショット日本（株）製、アルカリ金属酸化物含有量０．２重量％より多い、Ｎａ２Ｏ溶出量約２０μｇ／ｇ）に変更し、他の条件は実施例１と同じにして比較例１の発光装置を製造した。
【０１１４】
＜評価＞
実施例１、２および３、ならびに、比較例１の発光装置を１３０℃の恒温環境に配置し、発光素子に電流を供給して点灯させ、発光素子のジャンクション温度が約１８０℃となる環境とし、１００時間後のオイルブリードの発生の有無を目視で確認した。
【０１１５】
その結果、実施例１、２および３の発光装置は、比較例１の発光装置よりもオイルブリードの発生量が少なかった。アルカリ金属酸化物含有量が０．２重量％より多い低アルカリガラスを板状部材１４として用いたため、樹脂層１３のシリコーン樹脂が加水分解され、シロキサン結合が切断されて低分子化して、オイルとして溶出したことによると考えられる。
【０１１６】
また、実施例１の発光装置は、実施例２、３の発光装置よりもオイルブリードの発生量が少なかった。また、実施例２の発光装置と実施例３の発光装置のオイルブリード発生量は、同等であった。この理由は、実施例２，３ではチタンバリウム系ガラスをスペーサー１３ｂとして用いたため、スペーサー１３ｂがＴｉＯ２，ＢａＯ，ＺｒＯ２，ＺｎＯ，ＣａＯ，ＳｉＯ２を含み、ＴｉＯ２とＺｎＯの光触媒効果により、樹脂層１３のシリコーン樹脂が低分子化され、オイルとして溶出したのに対し、実施例１ではシリカのスペーサー１３ｂを用いたためシリコーン樹脂の溶出が生じなかったためと考えられる。
【符号の説明】
【０１１７】
１０…サブマウント基板、１１…発光素子、１２…バンプ、１３…樹脂層、１４…板状部材、１５…反射材料層、１６…外枠、８１…凸形状、１３０…傾斜面
【図１】
2013038187.tif 000003
【図２】
2013038187.tif 000004
【図３】
2013038187.tif 000005
【図４】
2013038187.tif 000006
【図５】
2013038187.tif 000007
【図６】
2013038187.tif 000008
【図７】
2013038187.tif 000009
【図８】
2013038187.tif 000010
【図９】
2013038187.tif 000011
【図１０】
2013038187.tif 000012
【図１１】
2013038187.tif 000013
【図１２】
2013038187.tif 000014
【図１３】
2013038187.tif 000015